【事件の表示】
　特願２００４−　８６６７６「コンテンツ提供装置、コンテンツ提供システム、Ｗｅｂサイト変更装置、Ｗｅｂサイト変更システム、コンテンツ提供方法およびＷｅｂサイト変更方法」拒絶査定不服審判事件〔平成１７年１０月　６日出願公開、特開２００５−２７５６９２〕について、次のとおり審決する。
【結　論】
　本件審判の請求は、成り立たない。
【理　由】
１．手続の経緯
　本願は、平成１６年３月２４日の出願であって、平成１９年１０月３１日付けで拒絶理由通知がなされ、平成２０年１月７日付けで手続補正がなされ、同年１月２９日付けで最後の拒絶理由通知がなされ、同年４月７日付けで手続補正がなされたが、同年４月７日付けの手続補正は同年５月７日付けで却下されるとともに同日付けで拒絶査定がなされ、これに対し、同年６月１３日に拒絶査定不服審判の請求がなされるとともに、同年７月１１日付けで手続補正がなされたものである。
　
２．平成２０年７月１１日付けの手続補正についての補正却下の決定
［補正却下の決定の結論］
　平成２０年７月１１日付けの手続補正を却下する。
　
［理由］
（１）補正後の請求項１に係る発明
　本件手続補正により、特許請求の範囲の請求項１は、
「複数のコンテンツが、複数の属性区分を有する所定の関連属性について、前記属性区分毎にグループ分けされて、複数のグループに分けられて格納されているコンテンツ格納部と、
　特定の第１の入力を検出する入力検出手段と、
　前記コンテンツの１つが利用者に提供されている状態において、前記入力検出手段で前記第１の入力が検出されるごとに、前記所定の関連属性について、前記提供されているコンテンツが属するグループとは異なるグループに属する任意のコンテンツを、前記コンテンツ格納部に格納されている前記複数のコンテンツから選択して、前記利用者に提供する提供コンテンツ変更手段と、
　を備えるコンテンツ提供装置。」
と補正された。
　
　上記補正は、補正前の請求項１における「複数のコンテンツが、複数のグループに分けられて格納されているコンテンツ格納部」を「複数のコンテンツが、
複数の属性区分を有する所定の関連属性について、前記属性区分毎にグループ分けされて、
るごとに、前記所定の関連属性について、
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
　原査定の拒絶の理由に引用された特開２００１−２０９５８６号公報（以下、「引用例」という。）には、図面とともに次の事項が記載されている。
　
Ａ．「【００１５】図１において、１はコンテンツ利用管理システム（ＬＣＭ）で、コンピュータ、例えばパソコン（ＰＣ：パーソナルコンピュータ）により構成される。コンテンツ利用管理システム１は、ハードディスク（ＨＤＤ）２を備え、このハードディスク２にアプリケーション及び各種データが格納される。上記コンテンツ利用管理システム１には、携帯型の記録再生装置であるＰＤ（Portable Device）３が接続される。このＰＤ３には、記憶媒体として例えばＳＤ（Secure Digital）カード等のメディア（ＭＣ：memory  card）４が着脱自在に設けられる。上記ＰＤ３は、メディア４に対するコンテンツの記録及び再生機能を備えている。上記メディア４は、そのメディア固有かつ書き換え不能の識別情報（ＭＩＤ）を有しており、メディア４に格納されるコンテンツは、メディア４に依存するコンテンツ復号鍵で暗号化される。」
　
Ｂ．「【００４７】次に、上記コンテンツ利用管理システム１の具体的に処理動作について説明する。コンテンツ利用管理システム１のセキュアマネージャ１１を起動すると、コンテンツ利用管理システム１の表示装置（図示せず）に図１１（審決注：この「図１１」との記載は「図１２」の誤記であると認められる。）に示すようにＳＤオーディオプレーヤ（SD AUDIO PLAYER）３０の画面を表示する。このＳＤオーディオプレーヤ３０の表示画面は、プレーヤー・ウインドウ３１とプレイリスト・ウインドウ３２からなっている。
【００４８】上記プレーヤー・ウインドウ３１には、中央部に再生状態表示窓４０が設けられ、例えば曲名、プレイリスト名、アーティスト名、再生位置（時間）、サンプリング周波数、ビットレート、フォーマットの種類、特殊再生モードの種類等が表示される。上記再生状態表示窓４０の上方には、プログラムをタスクバーに収納する最小化ボタン４１、プログラムを終了する終了ボタン４２、各種メニューを表示するメニューボタン４３、マネージャウインドウ表示ボタン４４、プレイリスト表示ボタン４５、ヘルプボタン４６が設けられる。上記マネージャウインドウ表示ボタン４４は、コントロール・ウインドウをオン／オフするためのボタン、プレイリスト表示ボタン４５は、プレイリスト・ウインドウ３２をオン／オフするためのボタンである。
【００４９】上記メニューボタン４３を操作すると、例えばマウスによりクリックすると、図１２（ａ）（審決注：この「図１２（ａ）」との記載は「図１１（ａ）」の誤記であると認められる。）に示すようにメインメニュー、例えば「オーディオＣＤから取り込み…」、「ファイルから取り込み…」、「ＰＤへ転送…」、「プレイリスト編集…」、「ＰＤのプレイリスト編集…」、「表示　＞　」、「オプション…」、「ヘルプ」、「バージョン情報」、「終了」等が表示される。上記メインメニューで、「表示　＞　」の位置にカーソルを移動すると、図１２（ｂ）（審決注：この「図１２（ｂ）」との記載は「図１１（ｂ）」の誤記であると認められる。）に示すように「最小化」、「プレイリスト表示」、「マネージャー表示」の表示メニューが表示される。この場合、「プレイリスト表示」及び「マネージャー表示」の先頭部分には、チェックエリアが設けられている。
【００５０】上記「最小化」は、現在の状態を維持したままタスクバーに格納する。「プレイリスト表示」は、チェックマークありの状態でプレイリスト・ウインドウ３２を表示し、チェックマークなしの状態では、ウインドウは閉じている。「マネージャー表示」は、チェックマークありの状態でコントロール・ウインドウを表示し、チェックマークなしの状態では、ウインドウは閉じている。
【００５１】また、上記再生状態表示窓４０の下方には、再生モード指定ボタングループ４７が設けられる。この再生モード指定ボタングループ４７には、リピート、ランダム（RANDOM）、イントロ（INTRO）のそれぞれの再生方法を選択するためのボタン、これらの特殊再生を解除するオフするOFFボタンが設けられると共に、再生時の音声ボリュームを指定するボリュームスライダーバー４８が設けられる。
【００５２】上記再生モード指定ボタングループ４７に設けられているリピートボタンを押すと、１曲リピート、全曲リピート、プレイリストリピートを切換えることができる。１曲リピートは、指定された曲を何度も再生する。全曲リピートは、カレントの曲から再生を開始し、プレイリストをまたいで最後まで再生が終わった段階で最初のプレイリストの１曲目に戻り、再度再生を続ける。ユーザの指示があるまではこの動作を続ける。プレイリストリピートは、プレイリスト内の曲を停止が指示されるまで再生する。
【００５３】ランダムボタンを押すと、プレイリストランダム、全曲ランダムを切換えることができる。プレイリストランダムは、同一プレイリスト内でランダムに曲を選んで再生する。全曲ランダムは、全てのプレイリストを対象としてランダム再生を行なう。イントロボタンを押すと、イントロ再生を選択でき、全てのプレイリストの全ての曲の頭の部分を５秒ずつ再生する。ボリュームスライダーバー４８は、再生時の音声ボリュームを指定する。
【００５４】また、上記再生モード指定ボタングループ４７及びボリュームスライダーバー４８の下側には、プレイリスト移動（前）ボタン５１、逆方向スキップボタン５２、早戻しボタン５３、停止ボタン５４、再生ボタン５５、一時停止ボタン５６、早送りボタン５７、前方向スキップボタン５８、プレイリスト移動（後）ボタン５９が設けられる。
【００５５】上記再生ボタン５５は、コンテンツの再生を行なうもので、停止状態であれば、現在選択されているコンテンツを頭から再生する。一時停止状態であれば、続きを再生する。早送り／早戻しのときは通常再生に戻す。プレイリスト内の曲を選択しているときには、選択された曲に対して再生を行なう。プレイリスト内に次の曲があるときには、再生は次の曲へ移行する。プレイリストの最後の曲の再生が終わった時点で次のプレイリストの１曲目を再生する。１曲リピート、プレイリストリピート、全曲リピート、プレイリストランダム、全曲ランダム、イントロのどれかが選択されている時には、それぞれの動作に従って再生を行なう。
【００５６】プレイリスト移動（後）ボタン５９は、プレイリスト間の移動を行なうもので、再生中は次のプレイリストの１曲目を再生する。停止中は次のプレイリストの１曲目の情報を表示するだけで再生は開始しない。最後のプレイリストの再生及び選択中は動作しない。
【００５７】プレイリスト移動（前）ボタン５１は、プレイリスト間の移動を行なうもので、再生中は前のプレイリストの１曲目を再生する。停止中は前のプレイリストの１曲目の情報を表示するだけで再生は開始しない。最初のプレイリストの再生及び選択中は動作しない。」
　
　上記Ｂの段落【００５６】の「プレイリスト移動（後）ボタン５９は、プレイリスト間の移動を行なうもので、再生中は次のプレイリストの１曲目を再生する。」との記載、及び段落【００５７】の「プレイリスト移動（前）ボタン５１は、プレイリスト間の移動を行なうもので、再生中は前のプレイリストの１曲目を再生する。」との記載によれば、引用例の「ＳＤオーディオプレーヤ３０」は、「プレイリスト移動（前）ボタン５１」または「プレイリスト移動（後）ボタン５９」の操作を検出する何らかの「操作検出手段」を備えるものであり、かつ、曲の再生中に該「操作検出手段」の操作が検出されるごとに、再生中の曲を「前のプレイリストの１曲目」または「次のプレイリストの１曲目」に変更する何らかの「曲変更手段」を備えるものであるということができる。
　
　よって、上記Ａ，Ｂの記載及び関連する図面を参照すると、引用例には、実質的に、次の発明が記載されているものと認められる。（以下、「引用例記載の発明」という。）
「複数の曲が、複数のプレイリストに従った再生が可能なように格納されているメディアと、
　プレイリスト移動（前）ボタンまたはプレイリスト移動（後）ボタンの操作を検出する操作検出手段と、
　前記曲の１つが再生されている状態において、前記操作検出手段で前記プレイリスト移動（前）ボタンまたはプレイリスト移動（後）ボタンの操作が検出されるごとに、前記再生されている曲が属するプレイリストの前あるいは次のプレイリストに属する１曲目の曲を、前記メディアに格納されている前記複数の曲から選択して、再生する曲変更手段と、
　を備えるＳＤオーディオプレーヤ。」
　
（３）対比
　本願補正発明と引用例記載の発明とを対比すると、次のことがいえる。
　
（あ）引用例記載の発明における「曲」、「メディア」は、それぞれ、本願補正発明における「コンテンツ」、「コンテンツ格納部」に相当する。
　
（い）本願補正発明において、「複数のコンテンツが、複数の属性区分を有する所定の関連属性について、前記属性区分毎にグループ分けされて、複数のグループに分けられて格納されている」とは、本願明細書の段落【００４８】〜【００５０】の記載を参酌すれば、例えば、「ポップス、クラシック、ジャズ、ラテンなど」の複数の属性区分を有する「ジャンル」という関連属性について、「各楽曲のコンテンツがどのジャンルのグループに属しているかを示すための管理テーブル情報」をハードディスク装置１１０に記憶して、各楽曲のグループ分けを行い、該「管理テーブル情報」に従って、ハードディスク装置１１０から読み出して再生するコンテンツを管理することをさしているものと解される。
　そして、引用例記載の発明においても、「プレイリスト」によって、メディアに格納されている曲のグループ分けが行われていると解されるから、引用例記載の発明における「プレイリスト」は、本願補正発明における「グループ」に相当する概念であるということができ、本願補正発明と引用例記載の発明とは、「複数のコンテンツ（曲）が、複数のグループ（プレイリスト）に分けられて格納されているコンテンツ格納部（メディア）」を備える点において共通するということができる。
　
（う）引用例記載の発明における「プレイリスト移動（前）ボタンまたはプレイリスト移動（後）ボタンの操作を検出する操作検出手段」は、本願補正発明における「特定の第１の入力を検出する入力検出手段」に相当する。
　
（え）引用例記載の発明において、「曲の１つが再生されている」ときに、その曲は、利用者に提供されているということができる。
　よって、引用例記載の発明における「曲の１つが再生されている状態」、及び「（曲を）再生する」ことは、それぞれ、本願補正発明における「コンテンツの１つが利用者に提供されている状態」、及び「（コンテンツを）利用者に提供する」ことに相当する。
　また、引用例記載の発明において、「再生されている曲が属するプレイリストの前あるいは次のプレイリストに属する曲」は、「提供されているコンテンツが属するグループとは異なるグループに属するコンテンツ」であるということができる。
　さらに、引用例記載の発明における「曲変更手段」は、本願補正発明における「提供コンテンツ変更手段」に対応する構成である。
　よって、本願補正発明と引用例記載の発明とは、「コンテンツの１つが利用者に提供されている状態において、入力検出手段で第１の入力が検出されるごとに、前記提供されているコンテンツが属するグループとは異なるグループに属するコンテンツを、コンテンツ格納部に格納されている複数のコンテンツから選択して、前記利用者に提供する提供コンテンツ変更手段」を備える点においては、共通するということができる。
　
（お）引用例記載の発明における「ＳＤオーディオプレーヤ」は、「曲」というコンテンツを提供している装置であるので、「コンテンツ提供装置」と呼べるものである。
　
　上記（あ）〜（お）の事項を踏まえると、本願補正発明と引用例記載の発明とは、次の点で一致し、また、相違するものと認められる。
　
（一致点）
　本願補正発明と引用例記載の発明とは、ともに、
「複数のコンテンツが、複数のグループに分けられて格納されているコンテンツ格納部と、
　特定の第１の入力を検出する入力検出手段と、
　前記コンテンツの１つが利用者に提供されている状態において、前記入力検出手段で前記第１の入力が検出されるごとに、前記提供されているコンテンツが属するグループとは異なるグループに属するコンテンツを、前記コンテンツ格納部に格納されている前記複数のコンテンツから選択して、前記利用者に提供する提供コンテンツ変更手段と、
　を備えるコンテンツ提供装置。」
である点。
　
（相違点）
　相違点１：「複数のグループに分けられて格納され」る「複数のコンテンツ」のグループ分けが、本願補正発明においては、「複数の属性区分を有する所定の関連属性について、前記属性区分毎にグループ分けされ」ることによって行われるのに対し、引用例記載の発明においては、そのようにはされていない点。
　
　相違点２：「提供コンテンツ変更手段」が、本願補正発明においては、「所定の関連属性」について、提供されているコンテンツが属するグループとは異なるグループに属する「任意の」コンテンツを利用者に提供するものであるのに対し、引用例記載の発明においては、そのようなものではない点。
　
（４）判断
　そこで、上記相違点１，２について検討する。
　
（相違点１について）
　特表２００４−５０５３６７号公報には、次の記載がなされている。
Ｃ．「【００２４】
別の実施例では、ボタン３０３の動作方法は、様々な属性に直接接続される。例えば、
−１回押すことにより、現在選択されるアルバムから別の曲が選択される。
【００２５】
−２回押すことにより、同一のアーティストの別のアルバムから任意の曲が選択される。
【００２６】
−３回押すことにより、現在選択されるスタイルの異なるアーティストの任意のアルバムから任意の曲が選択される。
【００２７】
−１秒間ほど押すことにより現在のジャンルにおける任意の曲が選択される。
【００２８】
−２秒間以上押すことにより任意のジャンルにおける任意の曲が選択される。」
　
　また、特開２０００−３３１４２２号公報には、次の記載がなされている。
Ｄ．「【０１３９】また上述のように或る板状メモリ１Ａにおいてジャンル別やアルバム別などでプレイリストを作成して整理しておけば、本例のようなプレイリスト及び対象トラックのコピーを行うのみで、その特定のジャンルや特定のアルバムのみの音楽を、そのアルバムについて設定した再生環境を含めてコピーできることにもなり、例えばその特定のジャンルの曲を選択してコピーしていくという面倒な操作は不要となる。つまりプレイリスト自体の有効利用だけでなく、トラックのコピーのための操作も大幅に簡略化できる。」
　
　上記Ｃ，Ｄの記載に見られるように、「曲」というコンテンツを、「アルバム」、「アーティスト」、「スタイル」、「ジャンル」といった様々な「属性」について、属性区分毎にグループ分けするようにすることは、周知技術（以下、「周知技術１」という。）にすぎない。
　してみれば、引用例記載の発明に対して、上記周知技術１を適用することにより、「複数のグループに分けられて格納され」る「複数のコンテンツ」のグループ分けを、「複数の属性区分を有する所定の関連属性について、前記属性区分毎にグループ分けされ」ることによって行うようにすることは、当業者が適宜になし得ることにすぎない。
　
（相違点２について）
　引用例の上記Ｂの段落【００５３】の「全曲ランダムは、全てのプレイリストを対象としてランダム再生を行なう。」との記載や、特表２００４−５０５３６７号公報の上記Ｃの段落【００２５】〜【００２８】の「任意の曲が選択される。」との記載に見られるように、「曲」というコンテンツを利用者に提供する際の提供の対象となるコンテンツを「任意」のものとすることは、周知技術（以下、「周知技術２」という。）にすぎない。
　そして、上記「相違点１について」で検討したように、コンテンツのグループ分けを「所定の関連属性」について行うようにすることは、当業者が適宜になし得ることにすぎないのであるから、引用例記載の発明に対して、上記周知技術２をさらに適用することにより、「提供コンテンツ変更手段」を、「所定の関連属性」について、提供されているコンテンツが属するグループとは異なるグループに属する「任意の」コンテンツを利用者に提供するようなものとすることは、当業者が適宜になし得ることである。
　
（本願補正発明の作用効果について）
　そして、本願補正発明の構成によってもたらされる効果も、引用例記載の発明及び上記周知技術１，２から当業者が容易に予測することができる程度のものであって、格別のものとはいえない。
　
　したがって、本願補正発明は、引用例記載の発明及び上記周知技術１，２に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２０年７月１１日付けの手続補正は、上記のとおり却下されたので、本願の請求項１に係る発明は、平成２０年１月７日付け手続補正書の特許請求の範囲の請求項１に記載されたとおりの次のものと認める。（以下、「本願発明」という。）
「複数のコンテンツが、複数のグループに分けられて格納されているコンテンツ格納部と、
　特定の第１の入力を検出する入力検出手段と、
　前記コンテンツの１つが利用者に提供されている状態において、前記入力検出手段で前記第１の入力が検出されたときに、前記提供されているコンテンツが属するグループとは異なるグループに属する任意のコンテンツを、前記コンテンツ格納部に格納されている前記複数のコンテンツから選択して、前記利用者に提供する提供コンテンツ変更手段と、
　を備えるコンテンツ提供装置。」
　
（２）引用例
　これに対して、原査定の拒絶の理由に引用された引用例とその記載事項は、上記２．（２）に記載したとおりである。
　
（３）対比・判断
　本願発明は、上記２．で検討した本願補正発明における「複数のコンテンツが、
複数の属性区分を有する所定の関連属性について、前記属性区分毎にグループ分けされて、
るごとに、前記所定の関連属性について、
　そうすると、本願発明の構成要件を全て含み、さらに特定の限定を施したものに相当する本願補正発明が、上記２．（４）に記載したとおり、引用例記載の発明及び上記周知技術１，２に基いて、当業者が容易に発明をすることができたものであるから、上記特定の限定を省いた本願発明は、上記特定の限定に関して参酌した上記周知技術１を参酌するまでもなく、引用例記載の発明及び上記周知技術２に基いて、当業者が容易に発明をすることができたものである。
　
（４）むすび
　以上のとおり、本願発明は、引用例記載の発明及び上記周知技術２に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。